(57)【要約】【課題】意匠性に優れ、需要者の購買意欲を喚起するとともに使用者に斬新な印象を与え、かつ、室内等に配置して使用する際の趣向性及び娯楽性に富んだ衛生用紙入りカートンを提供する。【解決手段】箱状を呈するカートン本体２０と、カートン本体２０の内部空間に収納される、複数枚の衛生用紙でそれぞれ構成された二組の衛生用紙束と、を備え、上面２には、衛生用紙をカートン本体２０の外部へと、二組の衛生用紙束のそれぞれから取り出す二つの取出口１５Ａ，１５Ｂを有する開口部１７を形成可能な切込線が形成されており、正面６Ａには、それぞれの一部が二つの取出口１５Ａ，１５Ｂからカートン本体２０の外部へと引き出された二つの衛生用紙５Ａ，５Ｂと組み合わされて、全体として一つのまとまったデザインが構成されるデザイン要素２５が表されている衛生用紙入りカートン１である。【選択図】図１
2009292520.tif 000002
【特許請求の範囲】
【請求項１】
上面、底面、正面、背面、及び一対の妻面を有するとともに、これらの面によって内部空間が区画形成された箱状を呈するカートン本体と、
前記カートン本体の前記内部空間に収納される、複数枚の衛生用紙でそれぞれ構成された二組の衛生用紙束と、を備え、
前記上面には、前記衛生用紙を前記カートン本体の外部へと、二組の前記衛生用紙束のそれぞれから取り出す二つの取出口を有する開口部を形成可能な切込線が形成されており、
前記正面には、それぞれの一部が二つの前記取出口から前記カートン本体の外部へと引き出された二つの前記衛生用紙と組み合わされて、全体として一つのまとまったデザインが構成されるデザイン要素が表されている衛生用紙入りカートン。
【請求項２】
二組の前記衛生用紙束のそれぞれを構成する前記衛生用紙が、相互に異なる種類のものである請求項１に記載の衛生用紙入りカートン。
【請求項３】
前記デザイン要素が、動物の顔に対応し、
それぞれの一部が二つの前記取出口から前記カートン本体の外部へと引き出された二つの前記衛生用紙が、前記動物の両耳に対応する請求項１又は２に記載の衛生用紙入りカートン。
【請求項４】
前記底面に、前記底面の一部を前記正面の側へと折り返して前記動物の舌又は口に対応するデザインフラップ部を形成可能な切込線が形成されている請求項３に記載の衛生用紙入りカートン。
【発明の詳細な説明】
【技術分野】
【０００１】
本発明は、趣向性及び娯楽性に富んだ衛生用紙入りカートンに関する。
【背景技術】
【０００２】
家庭やオフィス等で使用されるティシュペーパー等の衛生用紙は、概ね直方体の箱（以下、「カートン」又は「カートン本体」ともいう）の内部空間に収納された状態（衛生用紙入りカートン）で市販されている（例えば、特許文献１及び２参照）。このような衛生用紙入りカートンは、一つのボックス単位で使用されるものであることから、個々のカートンについてのデザインに工夫が凝らされてきた（例えば、特許文献３参照）。
【０００３】
また、市販の際の見栄えをよくする等の目的で、複数のカートンの側面に互いに異なる第１の図柄を付し、これら複数のカートンを積層した際に第１の図柄が合わさって、複数のカートン全体として一つのまとまりある第２の図柄が形成されるように構成された家庭用薄葉紙収納箱積層体が提案されている（例えば、特許文献４参照）。
【０００４】
【特許文献１】特開２００２−２９５８０号公報
【特許文献２】実公昭６２−７５４０号公報
【特許文献３】特開２００３−２２６３３９号公報
【特許文献４】特開２００５−１５３８９８号公報
【発明の開示】
【発明が解決しようとする課題】
【０００５】
しかしながら、特許文献１に記載の家庭用薄葉紙収納箱積層体は、複数のカートンが積層された状態となって初めて、一つのまとまりある第２の図柄を形成するものである。このため、室内等で使用する際に個別のカートンに小分けすると第２の図柄が分断されてしまい、意匠性が低下するという問題があった。更に近年、需要者の購買意欲をより喚起するためには、ティシュペーパー等の衛生用紙の機能を充実させるだけでなく、それらを収納するカートン（箱）自体の外観についても趣向を凝らす必要がある。
【０００６】
本発明は、このような従来技術の有する問題点に鑑みてなされたものであり、その課題とするところは、意匠性に優れ、需要者の購買意欲を喚起するとともに使用者に斬新な印象を与え、かつ、室内等に配置して使用する際の趣向性及び娯楽性に富んだ衛生用紙入りカートンを提供することにある。
【課題を解決するための手段】
【０００７】
本発明者らは上記課題を達成すべく鋭意検討した結果、カートン本体の上面に二つの取出口を設けるとともに、カートン本体の正面に、二つの取出口から引き出された二つの衛生用紙と組み合わされて、全体として一つのまとまったデザインが構成されるデザイン要素を表すことによって、上記課題を達成することが可能であることを見出し、本発明を完成するに至った。
【０００８】
即ち、本発明によれば、以下に示す衛生用紙入りカートンが提供される。
【０００９】
［１］上面、底面、正面、背面、及び一対の妻面を有するとともに、これらの面によって内部空間が区画形成された箱状を呈するカートン本体と、前記カートン本体の前記内部空間に収納される、複数枚の衛生用紙でそれぞれ構成された二組の衛生用紙束と、を備え、前記上面には、前記衛生用紙を前記カートン本体の外部へと、二組の前記衛生用紙束のそれぞれから取り出す二つの取出口を有する開口部を形成可能な切込線が形成されており、前記正面には、それぞれの一部が二つの前記取出口から前記カートン本体の外部へと引き出された二つの前記衛生用紙と組み合わされて、全体として一つのまとまったデザインが構成されるデザイン要素が表されている衛生用紙入りカートン。
【００１０】
［２］二組の前記衛生用紙束のそれぞれを構成する前記衛生用紙が、相互に異なる種類のものである前記［１］に記載の衛生用紙入りカートン。
【００１１】
［３］前記デザイン要素が、動物の顔に対応し、それぞれの一部が二つの前記取出口から前記カートン本体の外部へと引き出された二つの前記衛生用紙が、前記動物の両耳に対応する前記［１］又は［２］に記載の衛生用紙入りカートン。
【００１２】
［４］前記底面に、前記底面の一部を前記正面の側へと折り返して前記動物の舌又は口に対応するデザインフラップ部を形成可能な切込線が形成されている前記［３］に記載の衛生用紙入りカートン。
【発明の効果】
【００１３】
本発明の衛生用紙入りカートンは、意匠性に優れ、需要者の購買意欲を喚起するとともに使用者に斬新な印象を与え、かつ、室内等に配置して使用する際の趣向性及び娯楽性に富んだものである。
【発明を実施するための最良の形態】
【００１４】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１５】
［１］衛生用紙入りカートン：
本発明の衛生用紙入りカートンは、例えば図１〜３に示すように、箱状のカートン本体２０を備えたものである。このカートン本体２０の内部空間には、複数枚の衛生用紙でそれぞれ構成された二組の衛生用紙束３５Ａ，３５Ｂが収納されている。カートン本体２０上面２には、衛生用紙をカートン本体２０の外部へと、二組の衛生用紙束３５Ａ，３５Ｂのそれぞれから取り出す二つの取出口１５Ａ，１５Ｂを有する開口部１７を形成可能な切込線１４が形成されている。そして、正面６Ａには、それぞれの一部が二つの取出口１５Ａ，１５Ｂからカートン本体２０の外部へと引き出された二つの衛生用紙５Ａ，５Ｂと組み合わされて、全体として一つのまとまったデザインが構成されるデザイン要素２５が表されている。
【００１６】
本発明の衛生用紙入りカートンは、上述のように二つの取出口から引き出された二つの衛生用紙と、正面に表されたデザイン要素とを組み合わせることによって、全体として一つのまとまったデザインが形成されるので、デザインのバリエーションが豊富になるといった利点がある。
【００１７】
また、本発明の衛生用紙入りカートンにより形成されるデザインは、単にカートン本体の外周面上にのみ表された平面的な図柄や写真等と異なり、取出口から引き出された二つの衛生用紙と、正面に表されたデザイン要素とを組み合わされて形成される、立体的な広がり（奥行き）を有するデザインである。このため、本発明の衛生用紙入りカートンは、意匠性に優れており、使用者に斬新な印象を与えるとともに、室内等に配置して使用する際の趣向性及び娯楽性に富んだものである。また、これまでにない立体的な広がりを持ったデザインを有するものであることから、需要者の購買意欲を十分に喚起するものである。以下、本発明の衛生用紙入りカートンの更なる詳細について、図面を参照しつつ説明する。
【００１８】
［１−１］カートン本体：
図１は、本発明の衛生用紙入りカートンの一実施形態の使用状態を示す斜視図である。また、図２は、本発明の衛生用紙入りカートンの一実施形態の使用状態を示す正面図である。図１及び２に示すように、本実施形態の衛生用紙入りカートン１のカートン本体２０は、上面２、底面４、正面６Ａ、背面６Ｂ、及び一対の妻面８の計６面を有し、これら６面によって、衛生用紙（束）を収納し得る内部空間が区画形成された箱状を呈している。「箱状」の例としては、例えば、直方体状、立方体状等の六面体状を挙げることができる。これらの形状では、上面と底面、正面と背面、一対の妻面どうしがそれぞれ対向するように平行に配置される。なかでも、直方体状、より具体的には、カートン本体の正面及び背面側を長辺、妻面側を短辺とする直方体状にカートン本体を構成することが好ましい。なお、前記６面を有する限り、隣接する二つの面で形成される稜線部分を面取りしたものも、本明細書にいう「カートン本体」の概念に含まれる。
【００１９】
カートン本体は、例えば、図５に示すような、紙材料等からなるカートンブランク１００を折り曲げることによって作製することができる。図５に示すカートンブランク１００は、一枚の紙材料によって、折り曲げ線を介して上面２、底面４、正面６Ａ、背面６Ｂが形成されており、正面６Ａ及び背面６Ｂのそれぞれの端縁からは、折り曲げ線を介して内フラップ２６が延出されている。また、上面２の端縁からは、折り曲げ線を介して上面外フラップ２８が延出されており、これと同様に、底面４の端縁からは、折り曲げ線を介して底面外フラップ３０が延出されている。更に、底面４の一の側縁部からは、折り曲げ線を介して側面接合代３２が延出されており、底面外フラップ３０の先端には、上面外フラップ２８との接合代である妻面接合代３４が付設されている。
【００２０】
このようなカートンブランク１００は、各折り曲げ線を折り曲げ、側面接合代３２と正面６Ａを接合した後、妻面接合代３４と上面外フラップ２８を接合することで、一対の妻面８を形成することができる。こうすることにより、カートン本体２０を得ることができる。
【００２１】
カートン本体を構成する材質について特に制限はない。但し、カートンブランクを折り曲げて作製する都合上、厚紙等の紙材料を構成材料とすることが好ましい。一般に、これらの紙材料としては、木材パルプ、古紙等を原料として製造されたものを好適に用いることができる。
【００２２】
図３に示すように、カートン本体２０の上面２には開口部形成用切込線１４が形成されている。この開口部形成用切込線１４を破断することによって、図１に示すような二つの取出口１５Ａ，１５Ｂを有する開口部１７を形成することができる。これらの取出口１５Ａ，１５Ｂを通じてカートン本体２０の外部へと、二組の衛生用紙束３５Ａ，３５Ｂのそれぞれから衛生用紙５Ａ，５Ｂを取り出すことが可能となる。
【００２３】
開口部の外周形状について特に制限はなく、カートン本体や衛生用紙の形状に応じて適宜選択すればよい。但し、カートン本体として直方体状のものが多く用いられるため、その開口部の形状はカートン本体の長手方向に沿った横長形状とすることが好ましい。従って、開口部の外周形状としては、例えば、略長方形状、略長円形状、長楕円形状、菱形状、又は多角形状等の形状を挙げることができる。
【００２４】
図４は、本発明の衛生用紙入りカートンの他の実施形態を示す斜視図である。図４に示す衛生用紙入りカートン１０のカートン本体４０の上面２には、二箇所の開口部形成用切込線２４Ａ，２４Ｂが形成されている。このように、本発明の衛生用紙入りカートンにおいては、二つの開口部形成用切込線２４Ａ，２４Ｂをそれぞれ破断することによって、二つの取出口１５Ａ，１５Ｂをそれぞれ有する二つの開口部を形成する態様としてもよい。
【００２５】
なお、図５に示すように、開口部形成用切込線１４によって包囲された切取片となる部分には、開口部形成用切込線の二点を繋ぐように、引剥がし用切込線５２が形成されていてもよい。このような引剥がし用切込線５２を形成することで、切取片の引き剥がしが容易となる利点がある。例えば、図５に示すように、略長方形状の開口部形成用切込線１４の長手方向の両端部に、略Ｕ字状の引剥がし用切込線５２を形成することができる。
【００２６】
上記の開口部形成用切込線や引剥がし用切込線は、いわゆるミシン目状のものの他、比較的長い切れ目（スリット）が断続的に配置されたものであってもよい。また、ジッパーと称される切れ目が鉤形に屈曲した開封用破断線（包装産業の周知・慣用技術集第２８１頁参照、昭和５３年１２月２０日特許庁発行）や、二重のミシン目であってもよい。
【００２７】
また、カートン本体には、底面４に一対の押上片を形成するための押上片形成用切込線５４が形成されていてもよい（図５参照）。カートン本体に収納された衛生用紙の残量が少なくなった際に、底面４に形成された押上片形成用切込線５４を押圧して押し破り、カートンの内側に折り曲げることによって、一対の押上片を形成する。この押上片によって、カートン内部の衛生用紙が上面側に押し上げられるので、衛生用紙の最後の一枚まで安定してポップアップさせることが可能である。例えば、図５に示すように、底面４の中央部にＵ字状の押上片形成用切込線５４を一対形成することがよく行われる。
【００２８】
なお、図１に示すように、カートン本体２０には、開口部１７をカートン本体２０の内側から被覆するように配置され、衛生用紙５Ａ，５Ｂを取り出すための取出口１５Ａ，１５Ｂ（スリット）が形成されたウインドウフィルム１２が貼付されていてもよい。一方、カートン本体は、ウインドウフィルムが貼付されない構造の、所謂フィルムレスカートンであってもよい。
【００２９】
図１に示すように、開口部１７の内側からウインドウフィルム１２を貼り付けると、カートン本体２０の外部の塵や異物から、カートン本体２０内部の衛生用紙を保護することができる。また、衛生用紙５Ａ，５Ｂを外部に取出す際に、ウインドウフィルム１２に形成された取出口１５Ａ，１５Ｂ（スリット）間の摩擦により、ポップアップした衛生用紙５Ａ，５Ｂがカートン本体２０の内部に落ち込むことが防止され、衛生用紙５Ａ，５Ｂを取出口１５Ａ，１５Ｂから突出させた状態で保持することが可能となる。
【００３０】
一方、フィルムレスカートンは、ポリエチレンフィルム等のフィルムの材料コストを削減したり、ウインドウフィルムを貼付する工程を省略したりすることができるために好ましい。また、使用済みのカートン本体を廃棄する際に、ウインドウフィルムを分別して廃棄する必要がないという利点もある。
【００３１】
ウインドウフィルムの構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００３２】
ウインドウフィルムには、透明フィルム、半透明フィルム、不透明フィルム、着色フィルムのいずれもが含まれる。また、文字や模様等が印刷されたフィルムであってもよい。また、ウインドウフィルムの形状は、カートン本体の開口部を被覆することができる限りにおいて、どのような形状のものであってもよい。但し、開口部の形状として横長形状のものが汎用されることから、図１に示すような長方形状のウインドウフィルム１２を用いることが好ましい。
【００３３】
図１に示すように、取出口１５Ａ，１５Ｂは、ウインドウフィルム１２をその厚み方向に貫通する切れ目（スリット）である。カートン本体２０の内部空間に収納されたティシュペーパーをはじめとする衛生用紙は、このスリット状の取出口１５Ａ，１５Ｂを通してカートン本体２０の外部へと引き出される。
【００３４】
ウインドウフィルムは、例えば、接着部によってカートン本体の内側に貼り付けられている。接着部は、例えば、接着剤、両面テープ、熱融着等によって形成することができる。通常、接着部は開口部を包囲する環状に配置されている。「環状」とは、ある領域を区画するように、線が連続的に結ばれた形状を意味し、一の曲線が連続的に結ばれた形状のみならず、いくつかの直線が連続的に結ばれた形状も含む。具体的には、略長方形状、略長円形状、長楕円形状、長方形状、菱形状、又は多角形状等を挙げることができる。
【００３５】
［１−２］衛生用紙束：
図３に示すように、本実施形態の衛生用紙入りカートン１のカートン本体２０の内部空間には、複数枚の衛生用紙でそれぞれ構成された二組の衛生用紙束３５Ａ，３５Ｂが収納されている。これらの衛生用紙束３５Ａ，３５Ｂを構成する衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００３６】
なかでも、一の衛生用紙が折り畳まれ、その折り返し部分に他の衛生用紙が挟み込まれた状態で折り畳まれることによって、複数枚の衛生用紙が連続的に積層された積層構造の衛生用紙束を、カートン本体の内部空間に収納することが好ましい。このような積層構造の衛生用紙束は、最上層の衛生用紙を取り出すことにより、これに挟み込まれていた次層の衛生用紙の一部が取出口から突出し、衛生用紙の取出しが容易なものとなる利点がある（いわゆるポップアップ方式）。
【００３７】
なお、本発明の衛生用紙入りカートンのカートン本体には、二組の衛生用紙束が収納されているため、二組の衛生用紙束のそれぞれを構成する衛生用紙の種類を、相互に異なるものにすることも好ましい。例えば、一方の衛生用紙束を構成する衛生用紙を通常のティシュペーパーとし、一方の衛生用紙束を構成する衛生用紙をローションテイシュとする等である。これにより、室内等に一つのカートン本体を配置するだけで、同時に二種類の用途に適した衛生用紙を使用することが可能となるので、利便性が向上するとともに、室内等の整理整頓にも寄与する。また、二組の衛生用紙束のそれぞれを構成する衛生用紙の色や形状等についても相互に異なるものにすることができ、この場合には、デザインのバリエーションが豊富になるために好ましい。
【００３８】
［１−３］デザイン要素：
図１に示すように、本実施形態の衛生用紙入りカートン１の正面６Ａには、デザイン要素２５が表されている。このデザイン要素２５は、それぞれの一部が二つの取出口１５Ａ，１５Ｂからカートン本体２０の外部へと引き出された二つの衛生用紙５Ａ，５Ｂと組み合わされて、全体として一つのまとまったデザインが構成され得るものである。
【００３９】
カートン本体の正面に表されるデザイン要素の種類については、取出口から引き出された二つの衛生用紙と組み合わされて一つのまとまったデザインを構成し得るものであれば、特に限定されるものではない。デザイン要素の具体例としては、図１及び２に示すデザイン要素２５のような動物の顔等を挙げることができる。
【００４０】
なお、デザイン要素として動物の顔を表した場合には、取出口から引き出された二つの衛生用紙は、その動物の両耳に対応することとなる。なお、動物の両耳を表す図柄を衛生用紙に表すことも、より意匠性に優れた衛生用紙入りカートンを提供可能となるために好ましい。また、カートン本体の底面、一対の妻面、及び背面のそれぞれに、正面に表されたデザイン要素に対応するデザインを表すことも、カートン本体をどの方向から見た場合であっても斬新なデザインを視認可能となるために好ましい。なお、「正面に表されたデザイン要素に対応するデザイン」に相当するものとしては、正面に表されたデザイン要素が動物の顔である場合には、その動物の顔の側面や背面等がある。
【００４１】
［１−４］デザインフラップ部：
図１及び２に示す衛生用紙入りカートン１の正面６Ａには、デザインフラップ部３６が接続されている。このデザインフラップ部３６は、正面６Ａに表された動物の顔を模したデザイン要素２５と意匠的な関連性を有するものであり、動物の舌又は口に対応している。このデザインフラップ部３６は、図５に示すように、カートンブランク１００の底面４に円弧状の切込線５０を形成しておき、衛生用紙入りカートンの使用時に、この切込線５０を押圧して押し破るとともに、舌片状に押し抜かれた底面４の一部を正面６Ａの側へと折り返すことにより形成することができる。
【００４２】
このようなデザインフラップ部を形成することにより、正面に表されたデザイン要素（動物の顔）の意匠性がより優れたものになるとともに、デザインのバリエーションが更に豊富になり、かつ、動物の図柄により現実味が加わるので、趣向性及び娯楽性が更に向上するといった利点がある。
【００４３】
なお、上記のようなデザインフラップ部は、底面の一部を正面の側へと折り返すことにより形成するものに限定されず、例えば、妻面、背面、或いは上面の一部を正面の側へと折り返して形成してもよい。
【００４４】
［２］衛生用紙入りカートンの製造方法：
本発明の衛生用紙入りカートンを製造するには、先ず、上面、底面、正面、背面、及び一対の妻面を有し、正面に所定のデザイン要素が表されたカートンブランクを用意する。次いで、用意したカートンブランクを折り曲げ線に沿って折り曲げ、正面と正面接合代とを重ね合わせ、その重なり部分を接着剤によって接着することによって、妻面側が開放された角筒状とする。なお、ウインドウフィルムを有するカートン本体を製造するには、カートンブランクの開口部形成用切込線を包囲する位置に接着剤を付着させ、付着した接着剤が乾燥する前に、取出口となるスリットが予め形成されたウインドウフィルムを所定の位置に配置して貼り付ければよい。
【００４５】
その後、角筒状のカートンブランクの内部空間に衛生用紙が積層された二組の衛生用紙束を順次装填する。一対の内フラップを折り曲げ線に沿って折り曲げた後、上面外フラップと底面外フラップをその一部が互いに重なり合うように折り曲げ、その重なり部分を接着剤等によって接着することによって、一対の妻面を形成すれば、本発明の衛生用紙収納用カートンを製造することができる。
【産業上の利用可能性】
【００４６】
本発明の衛生用紙入りカートンは、ティシュペーパー、キッチンペーパー等のペーパータオル、シート状のトイレットペーパー、ワッティング（紙綿）等の衛生用紙を収納したカートンとして好適である。
【図面の簡単な説明】
【００４７】
【図１】本発明の衛生用紙入りカートンの一実施形態の使用状態を示す斜視図である。
【図２】本発明の衛生用紙入りカートンの一実施形態の使用状態を示す正面図である。
【図３】本発明の衛生用紙入りカートンの一実施形態を透明にして示す斜視図である。
【図４】本発明の衛生用紙入りカートンの他の実施形態を示す斜視図である。
【図５】カートンブランクの一例を示す展開図である。
【符号の説明】
【００４８】
１，１０：衛生用紙入りカートン、２：上面、４：底面、５Ａ，５Ｂ：衛生用紙、６Ａ：正面、６Ｂ：背面、８：妻面、１２：ウインドウフィルム、１４，２４Ａ，２４Ｂ：開口部形成用切込線、１５Ａ，１５Ｂ：取出口、１７：開口部、２０，４０：カートン本体、２５：デザイン要素、２６：内フラップ、２８：上面外フラップ、３０：底面外フラップ、３２：正面接合代、３４：妻面接合代、３５Ａ，３５Ｂ：衛生用紙束、３６：デザインフラップ部、５０：切込線、５２：引剥がし用切込線、５４：押上片形成用切込線、１００：カートンブランク
【図１】
2009292520.tif 000003
【図２】
2009292520.tif 000004
【図３】
2009292520.tif 000005
【図４】
2009292520.tif 000006
【図５】
2009292520.tif 000007